(57)【要約】本発明はイメージディスプレイであって、見えるイメージを生成するイメージディスプレイ装置と；見えるイメージを形成するために光の角度範囲を選択する光角度選択器と；を備え、前記光角度選択器は平行な光透過ガイドのアレイを有し、各光透過ガイドは光ガイド領域と吸収材料とを備え、前記光ガイド領域は屈折及び／又は内部全反射によって入射角の範囲内で前記光ガイド領域に入射する光の伝搬を促進するものであり、前記吸収材料は入射角の範囲外の前記光ガイド領域に入射する光を吸収するために前記光ガイド領域の周縁に配備されている。
2005524872.tif 000002
【特許請求の範囲】
【請求項１】
見えるイメージを生成するイメージディスプレイ装置と；
見えるイメージを形成するために光の角度範囲を選択する光角度選択器と；を備え、
前記光角度選択器は平行な光透過ガイドのアレイを有し、各光透過ガイドは光ガイド領域と吸収材料とを備え、前記光ガイド領域は屈折及び／又は内部全反射によって入射角の範囲内で前記光ガイド領域に入射する光の伝搬を促進するものであり、前記吸収材料は入射角の範囲外の前記光ガイド領域に入射する光を吸収するために前記光ガイド領域の周縁に配備されている、イメージディスプレイ。
【請求項２】
前記光透過ガイドはそれぞれ：
コア屈折率を有するコア領域と；
コア領域の少なくとも一部を被覆し、コア屈折率より低い屈折率を有するクラッディングと；を備えた請求項１に記載のディスプレイ。
【請求項３】
前記クラッディングは、光透過ガイドの入力端と出力端との間にコア光ガイドを完全に覆う請求項２に記載のディスプレイ。
【請求項４】
前記光透過ガイドはそれぞれほぼ均一な屈折率を有すると共に；空気及び気体領域によって横方向で分離されている請求項１に記載のディスプレイ。
【請求項５】
吸収材料を空気及び気体領域に配備する請求項４に記載のディスプレイ。
【請求項６】
前記吸収材料は、前記光透過ガイドの外面の少なくとも一部を被覆する層を形成している請求項１から４のいずれか一項に記載のディスプレイ。
【請求項７】
前記吸収層は、各光透過ガイドの入力端から各ガイドにそって少なくとも所定の距離まで延びており、光は臨界角でガイドに入射するものであり、前記臨界角は入力端の面に対して最小の入射角であり、コア光ガイド内の内部全反射及び／又は屈折による伝搬が生じるものであると共に、コア／クラッディング界面を照射するものである請求項６に記載のディスプレイ。
【請求項８】
前記吸収層は、光透過ガイドの外側面全体を被覆する請求項６又は７のいずれかに記載のディスプレイ。
【請求項９】
前記吸収材料は、光透過ガイド間にパウダー、プレーナー又は線状材料を備える請求項５に記載のディスプレイ。
【請求項１０】
前記吸収材料は、光透過ガイド間にランダムに配備されている請求項９に記載のディスプレイ。
【請求項１１】
前記吸収材料は、約10ミクロンから約100ミクロンの間の粒子サイズを有するパウダーである請求項９又は１０のいずれかに記載のディスプレイ。
【請求項１２】
前記吸収材料の粒子は不規則な形状である請求項１１に記載のディスプレイ。
【請求項１３】
パウダーはカーボンブラック及び／又はアニリン母材のブラック顔料から成る請求項１１又は１２のいずれかに記載のディスプレイ。
【請求項１４】
前記吸収材料は、約10ミクロンから約200ミクロンの間のファイバー径を有するファイバー材料である請求項９又は１０のいずれかに記載のディスプレイ。
【請求項１５】
ファイバーは合成繊維ファイバーである請求項１４に記載のディスプレイ。
【請求項１６】
前記吸収材料が膜材料である請求項９又は１０のいずれかに記載のディスプレイ。
【請求項１７】
前記吸収材料が、光透過ガイドに実質的にオプティカルコンタクトしないように、光透過ガイドに対して配備された請求項９から１６のいずれか一項に記載のディスプレイ。
【請求項１８】
前記ディスプレイ装置がバックライト源を有する透過ディスプレイ装置であり；
前記角度選択器が、バックライト源からディスプレイ装置に入射する光の角度分布を制御するように、バックライト源とディスプレイ装置との間に配備されている請求項１から１７のいずれか一項に記載のディスプレイ。
【請求項１９】
前記角度選択器が、ディスプレイ装置からの光出力の角度分布を制御するように、ディスプレイ装置の出力に配備している請求項１から１７のいずれか一項に記載のディスプレイ。
【請求項２０】
前記角度選択器が、イメージディスプレイ装置からのディスプレイ光を受光するように配備されたイメージガイドを備え、該イメージガイドは、イメージガイドへの入力において画素位置アレイがイメージガイドの出力での画素位置アレイに位置づけられるように、複数の光透過ガイドを有する請求項１から１７のいずれか一項に記載のディスプレイ。
【請求項２１】
各イメージガイドのビューイング面がモザイク状に合成ビューイング面を形成する請求項２０に記載のディスプレイのアレイ。
【請求項２２】
平行な光透過ガイドのアレイを有する光角度選択器であって、各光透過ガイドは光ガイド領域と吸収材料とを備え、前記光ガイド領域は屈折及び／又は内部全反射によって入射角の範囲内で光ガイド領域に入る光を伝搬させるようにされており、前記吸収材料は入射角範囲外で前記光ガイド領域に入射する光を吸収するように前記光ガイド領域の周囲に配置されている光角度選択器。
【発明の詳細な説明】
【技術分野】
【０００１】
本発明はディスプレイに関するものである。  
【背景技術】
【０００２】
液晶又はプラズマディスプレイのようなフラットパネルディスプレイの背景技術は、適度なテレビのスクリーンサイズまでについては単一ディスプレイが経済的に製造できる段階にまで進展した。このレベルを超えた単一ユニットディスプレイのディスプレイサイズを増大すると、急激にコストを上げ、製造の歩留まりを下げ、他の大きな技術的な問題を生ずる。
【０００３】
従って、大きなディスプレイを提供するために、ハイブリッド技術を進歩させて、必要なサイズ全体に多数の小さめの矩形ディスプレイをモザイク式に並べてきた。例えば、画像情報を適当なサブディスプレイに送るための適当なアドレッシングエレクトロニクスを有する、２×２モザイク型アレイ15インチダイアゴナル（対角線）ディスプレイは30インチインチダイアゴナルディスプレイを提供する。
【０００４】
このタイプの構成の欠点は、個々のディスプレイのアクティブエリアすなわち、画素情報が表示されるディスプレイのフロント面のエリアをディスプレイの物理的エリアの最端まで延ばせないことである。使用される技術は、プラズマ、液晶等のいずれであっても、個々の画素に内部接続（インターコネクション）を提供し、リア（裏面）からフロント（前面）までの基板を封止するために、アクティブディスプレイエリアの端部（エッジ）の周囲のボーダー（境界）は小さいことが要求される。このボーダーは数ｍｍ程度であり得るが、モザイク型ディスプレイを横切る目に見えないバンドが生じてしまう。
【０００５】
この問題に対して種々の解決策が提案されてきた。そのほとんどは、個々のサブディスプレイのアクティブエリアで形成されたイメージを移動（トランスレート）又は拡張するためのバルク光学又はファイバー光学イメージガイドに依存するものである。
【０００６】
例として、米国特許出願第4 139 261号（ヒルサム）は、パネルディスプレイで生成されたイメージを拡大するために光ファイバのバンドルから成るウェッジ構造画像ガイドを用いて、これによって、拡大された画像を隣接させることによって、２つのパネルの境界（ボーダー）領域から成る２つの隣接パネル間のギャップが見えなくなるようにしている。これによって、個々のフラットパネル自体が電気的接続等を保持するためにそれらの周囲に小さな非表示境界を有していたとしても、ユーザーには実質的に連続する画像と見えることとなる。このようにして形成された他の画像ガイドは、一対の隣接パネル間に境界のない隣接を提供するように画像を変える。
【０００７】
このタイプの構成で生じる問題について説明する。バックライト型液晶ディスプレイのようなディスプレイでは、照明はＬＣＤパネルの背後の発光要素（例えば、ＬＥＤ、蛍光管）で提供する。光は、画素位置で表示される輝度（ブライトネス）と色を制御するＬＣＤ画素を通過する。ここから、光はイメージガイドの中へ入る。バックライトを所定の角度より大きな角度で画素に入射すれば、各画素の出力の一部は、隣接する画素から光を運び出すように構成されたイメージガイドの一部の中へ入ってもよい。この画素クロストークは出力面での空間解像度及びコントラストの低下を引き起こし得る。
【０００８】
クロストークの問題を低減するために、平行バックライト型構成を用いることが提案された。このような構成の例では、光源（例えば、白色ＬＥＤの離隔アレイ）を備える。これから出射される光は３Ｍ社製の“ブライトネス・エンハンシング・フィルム（Brightness Enhancing Film）”のクロスペアによって均質化されており、また、光源とディスプレイパネルとの間の方向に沿って配向した細い管又はチャネルのアレイを備えたコリメータを通過していく。管は内面を有し、この内面は内面に当たる光を吸収するような適当な材料から成り又はそのような材料で被覆されている。多くのコリメータに共通して、この構成は、入射角の定義された範囲を越えた光を減衰するように作用する。
【発明の開示】
【発明が解決しようとする課題】
【０００９】
このような構成の欠点は、実際に要求されるよりも厳しい角度減衰を生じさせてしまうことである。この点を説明するために、添付の図７及び図８を参照する。
【００１０】
図７は、上述のようなコリメータを形成するチャネルのアレイを示す。各チャネルは長さｌ及び幅（円筒型チャネルの場合は直径）ｗを有する。図示したように、入射光は頁の下側からチャネルに入り、平行（コリメート）光は頁の上側へ出力される。
【００１１】
入射角は図７で示したように定義した。通過できる最小角θminは、tan(θmin)＝1/wで定義されている。θminより小さい入射角の光は（各チャネルの内面での理想的な吸収を仮定すると）完全に減衰する。
【００１２】
しかしながら、θminより大きな角度で入射する光もある程度は減衰する。図７は、θminより大きなθ１で入射する光を示している。光はチャネルの端部からずれた位置でチャネルに入射するので、光はチャネルの内面の吸収壁に当たり減衰する。従って、θminはチャネルの非常に端で入射する光が通過する最小入射角である。θminより大きな入射角に対しては、減衰もチャネルを横切って入る横方向（側方）の位置の関数である。
【００１３】
この減衰プロファイルは図８に概略的に示したが、図７のコリメータの出力においてソースの光及び平行光のの例示的な角度分布を示すものであり、入射角が90°（垂直入射）からθmin又はそれ以下に減少する。
【００１４】
この角度応答の特徴は、所望の角度範囲（θminより大きな入射角）内の実質的な光量は実際に減衰することを意味している。これは、輝度の損失又はさらに強い光源を備える必要性のいずれかにつながり、さらに、パワー消費の増大及び冷却の必要性につながる。
【課題を解決するための手段】
【００１５】
本発明は以下の構成を備えたイメージディスプレイを提供する：
見えるイメージを生成するイメージディスプレイ装置と；
見えるイメージを形成するために光の角度範囲を選択する光角度選択器と；を備え、
前記光角度選択器は平行な光透過ガイドのアレイを有し、各光透過ガイドは光ガイド領域と吸収材料とを備え、前記光ガイド領域は屈折及び／又は内部全反射によって入射角の範囲内で前記光ガイド領域に入射する光の伝搬を促進するものであり、前記吸収材料は入射角の範囲外の前記光ガイド領域に入射する光を吸収するために前記光ガイド領域の周縁に配備されている。
【００１６】
本発明は改良型の角度選択器を有するディスプレイを提供する。この角度選択器はチャネルのアレイ又はセットを有し、各チャネルは臨界角によって定義される所定範囲の入射角に対して内部全反射及び／又は屈折による光伝搬をサポートし得る。この入射角範囲内では、チャネルの入射端に入射する横方向の位置によらず、チャネルは光を伝搬する。この範囲外では、光はチャネルの外面に入射し、吸収される。
【００１７】
この結果、角度選択内の光量は図７の配置と比較して劇的に減少し得る。実験的な試行において、効率の改善を測定してきた。
【００１８】
グレイデッド構造を用いるが、その製造の容易さのために、光透過ガイドはコア屈折率を有するコア領域と；コア領域の少なくとも一部を被覆し、コア屈折率より低い屈折率を有するクラッディングと；を備えるのが好ましい。このクラッディングは、光透過ガイドの入力端と出力端との間にコア光ガイドを完全に覆うのが好ましい。また、空気（エアー）クラッド又は気体クラッドをもちいることができる。
【００１９】
実施形態によっては、角度選択器はバックライト構成における独立したコンポーネントを形成する一部であり、ディスプレイから出てくる光の角度を選択するように構成されている。他の実施形態では、角度選択器はイメージガイドの第２の又は他の機能であり、例えば、イメージガイドは複数の光透過ガイドを有するイメージディスプレイ装置からのディスプレイ光を受光するように構成されており、それによって、イメージガイドへの入力での画素位置アレイがイメージガイドの出力での画素位置アレイに位置づけられるようにされており、イメージガイドの出力がビューイング面を提供する。このようなイメージガイドは、上述のタイプのタイル型又はモザイク型大スクリーンシステムにおいて特に有効である。
【００２０】
光透過ガイド間にパウダー、プレーナー（例えば、膜）又は線状（例えば、ファイバー）の材料の形の吸収材料を用いることができ、この場合、パウダー、膜、又はファイバーは、光角度選択器の光透過ガイド又は、角度選択器として作用するイメージガイドに組み込まれてもよい。パウダー又はファイバー等は光透過ガイドに特有にオプティカルコンタクトする必要はないが、光透過ガイド間にランダムに配備することができる。実際、吸収体と光透過ガイドとの間では実質的にはオプティカルコンタクトしないのが好ましい。（当業者ならば、いかなるランダム系、擬ランダム系又は近ランダム系において、確率的にいくらかのオプティカルコンタクトが生じる。）この場合、内部反射又は屈折によって光透過ガイドを透過しない光は、ガイドの外面から現れ、吸収材料に吸収される。これは、光透過ガイドの間のクロストークを回避するというさらなる利点を有する。
【００２１】
しかしながら、他の実施形態では、吸収材料はクラッディングの少なくとも一部を被覆する層を形成するのが好ましい。
【００２２】
所望の角度範囲外の光を名目上完全に消失させるために、吸収層は各光透過ガイドの入力端から各ガイドに沿って少なくとも所定の距離まで延びており、光は臨界角でこの各ガイドに入射するものであり、前記臨界角は入力端の面に対して最小の入射角であり、コア光ガイド内の内部全反射が生じるものであると共に、コア／クラッディング界面に当たるものであることが好ましい。
【００２３】
一の実施形態では、ディスプレイ装置はバックライト源を有する透過ディスプレイ装置であり；前記角度選択器が、バックライト源からディスプレイ装置に入射する光の角度分布を制御するように、バックライト源とディスプレイ装置との間に配備されている。他の実施形態では、角度選択器がディスプレイ装置からの光出力の角度分布を制御するように、ディスプレイ装置の出力に配備している。
【００２４】
本発明では、平行な光透過ガイドのアレイを有する光角度選択器を提供する。ここで、各光透過ガイドは光ガイド領域と吸収材料とを備え、前記光ガイド領域は屈折及び／又は内部全反射によって入射角の範囲内で光ガイド領域に入る光を伝搬させるようにされており、前記吸収材料は入射角範囲外で前記光ガイド領域に入射する光を吸収するように前記光ガイド領域の周囲に配置されている。
【発明を実施するための最良の形態】
【００２５】
本発明の種々の他の側面及び特徴を特許請求の範囲で画定する。従属請求項からの特徴は、特許請求の範囲で明示的にしめした独立請求項の特徴を併せて持ってもよい。
【００２６】
本発明について添付図面を用いて実施例を用いて説明する。
【００２７】
図１は、タイルアレイ型ディスプレイパネルの概略等角裏面図を示したものである。
アレイは水平方向に４個のディスプレイパネルと、垂直方向に３個のディスプレイパネルとを備える。各ディスプレイパネルは発光面１０とイメージガイド２０とを備える。
【００２８】
発光面１０はそれぞれ複数の画素又はピクチャーエレメントをとして配備されている。実際、これらは例えば、バックライト構成と、フォーカシング、コリメーティング及び／又はホモジナイジング光学系と、液晶等を含むが、これらのほとんどは図の簡略化のために省略している。
【００２９】
発光パネルのそれぞれは、表示されるイメージ全体の一部を表示する。その一部はモザイク式配置の隣接タイルを表す。しかしながら、発光面１０の端部の周囲に電気的コンタクト及び支持体を設ける必要性のため、これらはその間にダークバンド又は“ブラックマトリックス”を残すことなく直接隣接させることができない。そこで、光ガイド２０の出力面を隣接して連続するビューイング面を形成できるように各発光面１０からのイメージのサイズを増大するように、光ガイド２０を用いる。
【００３０】
この構成を、図１のアレイの概略等角正面である図２に示す。ここで、光ガイド２０の出力面を隣接して、実質的に連続するビューイング面３０を形成する。
【００３１】
図３は、光源４０と、コリメータ／ホモジナイザー５０と、液晶パネル６０と、光ガイド７０とを備えたディスプレイの概略側面図である。
【００３２】
光源４０とホモジナイザー５０とをかなり概略的に示したが、概して液晶パネル６０で要求されるバックライトを提供するように構成されている。
【００３３】
液晶パネル６０は、白色又は他の可視カラーバックライトを用いるタイプのものであって、このディスプレイ用にそのバックライトを変調するために液晶画素を備えるものでもよい。また、液晶パネル６０は紫外線バックライトを使用し、ディスプレイ用の可視光を生成するために蛍光体アレイ上で紫外光を変調する光ルミネッセントパネルであってもよい。
【００３４】
イメージガイド７０は光透過ガイド８０のアレイを備え、それぞれの光透過ガイドは、液晶パネル６０上の特定のエリアから出力面９０上の対応するエリアへ光を運ぶものである。そうする際に、光透過ガイドは、出力面９０上をカバーするエリアが液晶パネル６０上のイメージ表示エリアより物理的に大きくなるように、発散するように配備する。上述のように、これによって、図３で示したようなディスプレイのアレイが、ビューイング面で見えないブラックマトリックスなしで隣接可能となる。
【００３５】
図４は光源及びコリメータ構成を概略図示する。光は、オープンフロントボックス２１０に収容された白色ＬＥＤセット２００から供給される。ボックス２１０の内面は概して反射性であり、例えば白色又はミラー面である。白色面が好適なのは、これがミラー面から得られる鏡面反射よりも拡散反射を提供するからである。
【００３６】
ＬＥＤは、図面に示したように主に上方に照射するように構成されている。ＬＥＤの照射方向のボックスの面（この例における上面）は開口している。すなわち、それはボックスの他の部分と同じ反射材料から成るものでなく、３Ｍ社製のいわゆる“ブライトネス・エンハンシング・フィルム（ＢＥＦ）”２３０の十字型（クロス）シートによって覆われている。ＢＥＦは、フィルムの下側に垂直に入射（又はほぼ垂直に入射）する光を反射するように作用する透明リッジ構造である。しかしながら、垂直入射ではない光は通過すると、それがフィルムから出る際に垂直に近くなるように屈折する傾向がある。
【００３７】
ＢＥＦ２３０の２つのシートを、互いに90°でリッジ構造のリッジ角を有するように用いる。
【００３８】
内部反射ボックス１００と離隔配置ＬＥＤ源２００のアレイとクロスＢＥＦシート２３０との組み合わせは、クロスＢＥＦシート２３０を出る光の大部分はこれらのシートに直交する方向に対して所定の角度の範囲内になるようにほぼ平行な光源を提供する。
【００３９】
所定の平行角内の光を選択するために、光はコリメータ２５０を通過させる。コリメータ２５０は光ガイドのアレイから成り、その例を以下の図５を参照して説明する。光ガイドは、光がコリメータ２５０を通過する入射角の範囲を定義する“臨界角”を有する。この範囲外の入射光はコリメータ２５０を通過しない。
【００４０】
光がコリメータ２５０から出射すると、ＬＣＤパネル６０に入射する。
【００４１】
図５は、図４のコリメータ２５０における光ガイドのチャネルを概略図示するものである。
【００４２】
各チャネル２６０は、クラッディング領域２８０が囲繞する光ガイドコア２７０を備える。コア２７０及びクラッディング２８０はプラスチック、ガラス又は他の適当な材料であり、内部全反射によって光の伝搬を促進する適当な屈折率を有してもよい。内部全反射によって伝搬するために、光は臨界角と称する少なくとも所定の入射角で入射しなければならない。図５では、臨界角θcritをで示し、模式的に示した入射光線２９０は、チャネルの出力端（図５の上側）から出てくるように内部全反射によって伝搬する。臨界角θcritより小さい入射角θ１を有する模式的に示した入射光線３００は、内部全反射によっては伝搬しない。
【００４３】
内部全反射による伝搬は光の入射角に依存するが、チャネルの入力端に入射角の横方向位置に依存しないことに留意されたい。
【００４４】
クラッディング２８０は、独立して設けられた光透過ガイドを用いると、スプレー噴射、ディッピング又は他の適した方法で付けられる吸収材料３１０例えば、吸収ペイント等で囲繞する。それで、内部全反射によって伝搬するのではない光（例えば、模式的光線３００）は吸収材料３１０に入射し、吸収される。
【００４５】
チャネルは、入射光の横方向の位置に関わらず、光の入射角がθcritより小さい場合は、光が吸収材料３１０に入射に吸収されるほどに十分に長く形成される。実際上、これは、チャネルの長さと幅との間の関係は以下の通りであることを意味する：
【数１】
2005524872.tif 000003
ここで、ｌはチャネルの長さ、ｗはチャネルの幅又は直径でありこの実施形態では典型的には約3mmだが、実施形態によっては他の適当な値例えば、1mmと20mmとの間でもよく、φminはコア媒体内の臨界角である。光がコア材料の中に入る際の屈折のため、φminはにθcrit等しくはない。
【００４６】
入射の横方向の位置に関わらず、入射角がθcritより大きいならば、チャネルの入力端に入るほぼ全ての光が入射するように構成されている。入射角がθcritより小さいほぼ全ての光が吸収される。図５のチャネル用の光源と平行光の角度分布を図６に模式的に示す。
【００４７】
内部全反射による伝搬をさせるコア／クラッディング構成を用いることは必要ではない。そのかわり、反射による光伝搬（所定範囲の入射角内例えば、臨界角内）を提供するいわゆる“グレイデッド ”構成を用いてもよい。前述のように、グレイデッド構成は吸収材料３１０によって少なくとも部分的に被覆される。あるいは、実質的に（少なくとも断面において）均一な屈折率ガイドを大気圧又は他の気圧で空気又は気体で囲繞された空気クラッド又は気体クラッドを用いることができる。
【００４８】
光源とパネル６０との間に配置する替わりに、記載したコリメータはパネル６０と光源７０との間に配置することができる。この構成は、それ自体が光源であるディスプレイパネル例えば、発光ダイオードをベースとしたパネルに適用可能である。
【００４９】
チャネル又はコリメータを形成するチャネルのアレイを製造するために、各チャネルは独立した光透過ガイドの導光構造として製造され（おそらくは、支持のためにそれらの長さに沿って一又は二以上の点で結合され）、液相吸収体（実際上、ペイント）に／で浸漬され、スプレーされあるいは被覆され、またおそらくは、チャネル間のギャップはグラファイトパウダーのような吸収パウダーによって少なくとも部分的に充填されてもよい。
【００５０】
パウダー、ファイバー等は、光透過ガイドに限定的に光コンタクトに接触している必要はないが、光透過ガイドにランダムに分散され得る。（当業者ならば、いかなるランダム系、擬ランダム系又は近ランダム系において、確率的にいくらかの光学的接触（オプティカルコンタクトは生じる。）この場合、内部反射又は屈折によって光透過ガイドを透過しない光は、ガイドの外面から現れ、吸収材料に吸収される。これは、光透過ガイドの間のクロストークを回避するというさらなる利点を有する。
【００５１】
微粒子吸収体を用いるならば、粒子は直径はミクロン単位でもかなり大きいこと（例えば、10ミクロンから100ミクロン）が好ましく、ファイバーへのオプティカルコンタクトを最小又は少なくとも低減するように不規則な形状であるのが好ましい。適した材料はカーボンブラック又は他のブラック顔料あるいは染料例えば、アニリンを母材とする顔料あるいは染料である。ファイバーが粒子全体を覆っているのが好ましい。というのは、ファイバーは固着する傾向が小さいからである。不規則、捻れ及び曲がりファイバーは滑らかな直線タイプのものより好適である。しかしながら、現在はほとんどの合成繊維ファイバーが天然のタイプをまねるように作製されるので、いかなるブラック繊維ファイバーを、これらがファイバー間ギャップ内にスプレーされ又は層状にされ得る形で用いることができる。典型的なファイバーの径は数10ミクロン（例えば、10ミクロン）から数100ミクロン（例えば、200ミクロン）である。
【００５２】
他のアプローチでは、薄膜材料を光透過ガイドの間に分散させて吸収機能を付与することができる。膜は、膜が光透過ガイドの長軸に対して概して平行になるように、光透過ガイドの中に（規則的に、近ランダム又は擬ランダムな形で）織り込む（組み入れる）ことができる。プラスチック薄膜は数ミクロンからであり、好適にはダークマット仕上げに適している。プラスチック膜の場合は、光透過ガイドの間に膜を適当に織り込み又は配備することによって、所望のほぼゼロのオプティカルコンタクトを実現できる。
【００５３】
本願の構成は、優れた平行性及び光混合特性のために高い柔軟性を提供する。例えば、白色ＬＥＤの替わりに、赤、緑、青のような分離色のＬＥＤを用いることができる。（ＬＥＤの適合数又は相対光出力又はこの両方によって制御され得る）相対輝度が適当に制御される限り、異なる色の光が十分に混合されるので、平行白色光が現れる。また、蛍光管等をＬＥＤの替わりに用いることができる。
【００５４】
前述して提案したような図７の構成及び図５の構成の間の比較から、同程度の光源及びコリメーション角に対して光出力を改善することがわかった。
【００５５】
他の実施形態では、独立した角度選択器の具備の替わりに（又は、それに加えて）、透過パネルへの光入力の前に、又は、透過若しくは放射パネル等のディスプレイの出力において、角度選択機能をイメージガイド２０によって実施できる。
【００５６】
例えば、光吸収ペイント内にスプレーし又は浸漬（ディップ）することによって、イメージガイドの光透過ガイド８０を吸収材料で被覆し又は部分的に被覆する上述のどの手法を、排出を補助する強制空気フロー及び乾燥と共に用いてもよい。これに替えて、又はこれに加えて、プレーナー、微粒子もしくはファイバー状の吸収材料を、イメージガイドの光透過ガイドに配備してもよい。以上の記載で特定した吸収材料をこの目的で用いてもよい。
【００５７】
イメージガイドの場合、ガイドが少なくとも断面方向でほぼ均一の屈折率を有すると言える、クラッドなし（又は、エアークラッド）ガイドを用いるのが好適であることに留意されたい。ガイドは、大気圧又は他の気圧のいずれかで、ガイド間に空気又は気体のギャップを有するように離間配置される。
【００５８】
上述の実施形態では、適した吸収ペイントはロックハード700-155-005（インデストラクティブル・ペイント社（Indestructible Paint Company）、バーミンガム、英国）である。
【００５９】
上述の実施形態では、吸収材料がブラック又はダークであることが望ましいが、当業者は、有効な程度の光吸収を提供する材料の多くの異なる色及び仕上げ（例えば、マット、光沢）であってもよいことは理解できる。
【図面の簡単な説明】
【００６０】
【図１】タイルアレイ型ディスプレイパネルの概略等角裏面図である。
【図２】図１のアレイの概略等角正面図である。
【図３】光源、コリメータ／ホモジナイザー、ディスプレイパネル及びイメージガイドを備えたディスプレイの概略側面図である。
【図４】光源及びコリメータの構成の概略構成図である。
【図５】図４で示したコリメータにおけるチャネルの概略構成図である。
【図６】ソース光及び図５のコリメータの出力において平行にされた光の角度分布を概略的に示す図である。
【図７】コリメータを形成するチャネルアレイのの概略構成図である。
【図８】ソース光及び図７のコリメータの出力において平行にされた光の角度分布を概略的に示す図である。
【符号の説明】
【００６１】
１０  発光面
２０  イメージガイド
６０  ＬＣＤパネル
２５０  コリメータ
２６０  チャネル
２７０  光ガイドコア
２８０  クラッディング領域
【図１】
2005524872.tif 000004
【図２】
2005524872.tif 000005
【図３】
2005524872.tif 000006
【図４】
2005524872.tif 000007
【図５】
2005524872.tif 000008
【図６】
2005524872.tif 000009
【図７】
2005524872.tif 000010
【図８】
2005524872.tif 000011
【国際調査報告】
2005524872.tif 000012
2005524872.tif 000013
2005524872.tif 000014
2005524872.tif 000015
2005524872.tif 000016